(57)【要約】【課題】  電気光学パネルに接続された配線基板を組立て作業時に容易に曲げることができ、曲げた後の配線基板に不要な負荷が加わらないようにできる電気光学装置を提供する。【解決手段】  液晶パネル３に接続されて矢印Ｂのように曲げられる配線基板９と、液晶パネル３を支持するフレーム２とを有する液晶表示装置１である。この液晶表示装置１は、配線基板９が曲げられる部分に対応するフレーム２の辺の両角部Ｋに縦側係止片１８ａ及び横側係止片１８ｂを有する。横側係止片１８ｂは液晶パネル３の横方向の位置ズレを規制する。縦側係止片１８ａは液晶パネル３の縦方向の位置ズレを規制する。横側係止片１８ｂは角部Ｋの頂点から間隔Ｌだけ離れて設けられるので、角部Ｋの近傍に広い空間が形成され、配線基板９を曲げる作業が楽になり、曲げられた配線基板９が角部Ｋで横側係止片１８ｂにぶつかって不要な負荷が加わることを防止できる。【選択図】        図１
2006133555.tif 000002
【特許請求の範囲】
【請求項１】
電気光学パネルに接続されて曲げられる配線基板と、
電気光学パネルを支持するフレームと、
前記配線基板が接続された前記電気光学パネルの辺が延びる方向を横方向とし、それに直角の方向を縦方向とするとき、
前記配線基板が曲げられる部分に対応する前記フレームの両角部に設けられていて前記電気光学パネルの横方向の位置ズレを規制する横側係止片と、
前記配線基板が曲げられる部分に対応する前記フレームの両角部に設けられていて前記電気光学パネルの縦方向の位置ズレを規制する縦側係止片とを有し、
前記両角部の少なくとも１つにおいて前記縦側係止片及び前記横側係止片の少なくとも一方は角の頂点から離れている
ことを特徴とする電気光学装置。
【請求項２】
請求項1記載の電気光学装置において、前記両角部の少なくとも１つにおいて前記縦側係止片は角の頂点部分に設けられ、前記横側係止片は角の頂点から離れて設けられることを特徴とする電気光学装置。
【請求項３】
請求項1記載の電気光学装置において、前記両角部の少なくとも１つにおいて前記横側係止片は角の頂点部分に設けられ、前記縦側係止片は角の頂点から離れて設けられることを特徴とする電気光学装置。
【請求項４】
請求項1記載の電気光学装置において、前記両角部の少なくとも１つにおいて前記横側係止片及び前記縦側係止片の両方は角の頂点から離れて設けられることを特徴とする電気光学装置。
【請求項５】
請求項１から請求項４のいずれか１つに記載の電気光学装置において、前記配線基板が曲がってできる空間内に光源が設けられることを特徴とする電気光学装置。
【請求項６】
請求項１から請求項５のいずれか１つに記載の電気光学装置において、前記曲がる部分の配線基板上に電子部品が設けられることを特徴とする電気光学装置。
【請求項７】
請求項１から請求項６のいずれか１つに記載の電気光学装置において、
前記電気光学パネルの表示面と反対側の面を覆う外枠を有し、
該外枠は前記配線基板が曲げられる部分に対応する電気光学パネルを覆う第１外枠と、それ以外の部分の電気光学パネルを覆う第２外枠とを有し、
前記フレームの両角部において前記横側係止片は前記角部の頂点から離れて設けられ、
前記第１外枠は前記横側係止片から前記角部の頂点に至る間隔内に設けられる
ことを特徴とする電気光学装置。
【請求項８】
電気光学パネルに接続されて曲げられる配線基板と、
電気光学パネルを支持するフレームと、
前記配線基板が接続された前記電気光学パネルの辺が延びる方向を横方向とし、それに直角の方向を縦方向とするとき、
前記配線基板が曲げられる部分に対応する前記フレームに設けられていて前記電気光学パネルの横方向の位置ズレを規制する横側係止片と、
前記配線基板が曲げられる部分に対応する前記フレームに設けられていて前記電気光学パネルの縦方向の位置ズレを規制する縦側係止片とを有し、
前記縦側係止片及び前記横側係止片の少なくとも一方は角の頂点に設けられ、他方は該頂点から離れている
ことを特徴とする電気光学装置。
【請求項９】
電気光学パネルに接続されて曲げられる配線基板と、
電気光学パネルを支持するフレームと、
前記配線基板が接続された前記電気光学パネルの辺が延びる方向を横方向とし、それに直角の方向を縦方向とするとき、
前記配線基板が曲げられる部分に対応する前記フレームに設けられていて前記電気光学パネルの横方向の位置ズレを規制する横側係止片と、
前記配線基板が曲げられる部分に対応する前記フレームに設けられていて前記電気光学パネルの縦方向の位置ズレを規制する縦側係止片とを有し、
前記縦側係止片及び前記横側係止片は角の頂点から離れている
ことを特徴とする電気光学装置。
【請求項１０】
請求項１から請求項１０のいずれか１つに記載の電気光学装置において、
前記縦側係止片及び／又は前記横側係止片が前記角の頂点から離れた領域に光源又は電子部品を設けることを特徴とする電気光学装置。
【請求項１１】
請求項１から請求項１０のいずれか１つに記載の電気光学装置を有することを特徴とする電子機器。
【発明の詳細な説明】
【技術分野】
【０００１】
本発明は、液晶表示装置等といった電気光学装置に関する。また、本発明は、電気光学装置を用いた電子機器に関する。
【背景技術】
【０００２】
現在、携帯電話機、携帯情報端末機等といった各種の電子機器において、電気光学装置が広く用いられている。これらの電気光学装置は、例えば、電子機器に関する各種の情報を視覚的に表示するための表示部として用いられている。この電気光学装置において、例えば、電気光学物質として液晶を用いた装置、すなわち液晶表示装置が知られている。
【０００３】
上記の液晶表示装置は電気光学パネルとしての液晶パネルを有する。この液晶パネルは、一般に、それぞれが電極を備えた一対の基板の間に液晶層を介在させた構造を有する。この液晶表示装置では、液晶層に光を供給すると共に該液晶層に印加される電圧を画素ごとに制御することにより、液晶層内の液晶分子の配向を画素ごとに制御する。液晶層へ供給された光は、液晶分子の配向状態に従って変調され、この変調された光を偏光板の液晶側表面に供給することにより、その偏光板の観察側表面に文字、数字、図形等といった像が表示される。
【０００４】
上記の電気光学パネルを電気光学装置の中の所定位置に置くために、フレームが用いられることが多い。一般にこのフレームは電気光学パネルの縦方向及び横方向の位置ズレを規制するための複数の係止片を備え、それらの係止片によって電気光学パネルを位置決めしている（例えば、特許文献１参照）。
【０００５】
【特許文献１】特許第２８８５６９３号公報（第２頁、図１）
【発明の開示】
【発明が解決しようとする課題】
【０００６】
しかしながら上記従来の電気光学装置において、電気光学パネルの縦方向の位置ズレを規制する縦側係止片と、電気光学パネルの横方向の位置ズレを規制する横側係止片は、それぞれがフレームの角部の頂点部分に設けられていた。つまり、縦側係止片と横側係止片は角部の頂点で互いに連結していた。
【０００７】
ところで、上記の電気光学パネルには配線基板が接続されることが多い。多くの場合は電気光学パネルの１辺の辺端部分に配線基板が接続される。そしてこの配線基板により、電気光学パネルへ電気信号や電力が供給される。近年、この配線基板は電気光学パネルの外部へ直線的に延びるのではなく、曲げられて電気光学パネルの裏側、すなわち表示面の裏側に配置されることが多くなっている。
【０００８】
この場合、互いに連結した状態でフレームの角部に存在する縦側係止片と横側係止片とが、配線基板を曲げて配置することに関して位置的に邪魔になるおそれがあった。特に、配線基板上に電子部品、例えば抵抗、コイル、コンデンサ、電源用ＩＣ等が実装される場合には、配線基板を曲げる際にその電子部品が縦側係止片や横側係止片にぶつかって配線基板の曲げ処理に支障が生じるという問題があった。また、縦側係止片や横側係止片が邪魔になって配線基板の曲げ作業が行い難くなるという問題もあった。
【０００９】
本発明は、上記の問題点に鑑みて成されたものであって、配線基板を容易に曲げることができる電気光学装置及び電子機器を提供することを目的とする。
【課題を解決するための手段】
【００１０】
本発明に係る電気光学装置は、電気光学パネルに接続されて曲げられる配線基板と、電気光学パネルを支持するフレームと、前記配線基板が接続された前記電気光学パネルの辺が延びる方向を横方向とし、それに直角の方向を縦方向とするとき、前記配線基板が曲げられる部分に対応する前記フレームの両角部に設けられていて前記電気光学パネルの横方向の位置ズレを規制する横側係止片と、前記配線基板が曲げられる部分に対応する前記フレームの両角部に設けられていて前記電気光学パネルの縦方向の位置ズレを規制する縦側係止片とを有し、前記両角部の少なくとも１つにおいて前記縦側係止片及び前記横側係止片の少なくとも一方は前記角部の頂点から離れていることを特徴とする。
【００１１】
上記構成において、「電気光学パネル」は、液晶等といった電気光学物質を含むパネル構造体であって、その電気光学物質の電気光学的な作用を利用して表示を実現するものである。例えば、電気光学物質として液晶を用いれば電気光学パネルとして液晶パネルが構成される。
【００１２】
また、「フレーム」は横側係止片及び縦側係止片を備えていて、それらの係止片によって電気光学パネルを所定位置に保持するものである。このフレームは横側係止片及び縦側係止片を備えなければならない関係上、あるいは、電気光学パネルに付随する各種の要素を所定位置に保持する関係上、特殊な形状を持たなければならないことがある。このため、フレームは樹脂を材料とする成形加工によって形成されることが望ましい。
【００１３】
上記構成の電気光学装置によれば、配線基板が曲げられる部分に対応するフレームの両角部の少なくとも一方において、縦側係止片及び横側係止片の少なくとも一方を角の頂点から離して配置したので、フレームの角部の縦方向又は横方向又はそれらの両方向に広い空間を確保できるようになった。このため、配線基板を曲げる作業を行い易くすることが可能になり、従って、電気光学装置を容易に製造できるようになった。また、曲げられた状態の配線基板に縦側係止片及び横側係止片がぶつかって異常な応力が発生することもなくなるので、配線基板に関する不良の発生を防止できる。
【００１４】
次に、本発明に係る電気光学装置においては、前記両角部の少なくとも１つにおいて、前記縦側係止片を角の頂点部分に設け、前記横側係止片を角の頂点から離して設けることができる。こうすれば、配線基板の曲げ部における電気光学パネルの横方向に関して広い空間が確保され、当該横方向に関する配線基板の位置的な自由度を高めることができる。
【００１５】
次に、本発明に係る電気光学装置においては、前記両角部の少なくとも１つにおいて、前記横側係止片を角の頂点部分に設け、前記縦側係止片を角の頂点から離して設けることができる。こうすれば、配線基板が曲げられる部分に在るフレームの角部において縦方向に関して広い空間を確保できる。このため、当該縦方向に関する配線基板の位置的な自由度を高めることができる。
【００１６】
次に、本発明に係る電気光学装置においては、前記両角部の少なくとも１つにおいて、前記横側係止片及び前記縦側係止片の両方を角の頂点から離して設けることができる。こうすれば、配線基板の曲げ部における電気光学パネルの横方向及び縦方向の両方に関して広い空間を確保でき、それ故、それらの両方向に関する配線基板の位置的な自由度を高めることができる。
【００１７】
次に、本発明に係る電気光学装置においては、前記配線基板が曲がってできる空間内に光源が設けられることが望ましい。この光源は、例えば、バックライトとして用いられる照明装置を構成する電源であり、ＬＥＤ（Light Emitting Diode）等といった点状光源や、冷陰極線管等といった線状光源によって構成できる。上記の光源は、一般に、光源用基板に実装された状態でフレーム内の所定位置に配置される。この光源用基板はある程度の大きさを有するものなので、フレームの形状如何ではその光源用基板を所定位置に配置することが難しくなる。しかしながら、本発明によれば、光源用基板の位置を邪魔しないように、縦側係止片及び横側係止片をフレームの角部から離して設けることができる。
【００１８】
次に、本発明に係る電気光学装置においては、前記曲がる部分の配線基板上に電子部品を設けることが望ましい。ここで言う電子部品とは、電気光学装置の駆動に関連して必要となる電子部品のことであり、例えば、抵抗、コイル、コンデンサ、電源用ＩＣ等のことである。最近の電気光学装置では、その外見形状を小さくするために、この電子部品が配線基板上に設けられること、特にその配線基板が曲げられる部分に設けられることが多くなっている。
【００１９】
このような場合、縦側係止片及び横側係止片の両方がフレームの角部にまとめて設けられていると、電子部品を設ける位置や、多数の電子部品を実装した配線基板の形状がそれらの係止片によって規制されるおそれがある。このことに関し、本発明のように縦側係止片及び横側係止片の一方又は両方の位置をフレームの角部から離せるようにしておけば、配線基板上における電子部品の実装位置や、配線基板それ自体のフレーム内における配置位置の自由度を高めることができる。
【００２０】
次に、本発明に係る電気光学装置においては、前記電気光学パネルの表示面と反対側の面に当該電気光学パネルを覆う外枠を設けることができる。そして、その外枠は前記配線基板が曲げられる部分に対応する電気光学パネルを覆う第１外枠と、それ以外の部分の電気光学パネルを覆う第２外枠とによって構成できる。そしてこの場合、前記フレームの両角部に設けられる横側係止片は両方とも角の頂点から離れて設けられることが望ましく、さらに、前記第１外枠は前記両方の横側係止片から前記角部の頂点に至る間隔内に設けられることが望ましい。
【００２１】
配線基板が曲げられる部分の厚さは、その他の部分の電気光学パネルの厚さに比べて厚くなる傾向にある。配線基板が曲げられる部分に光源や電子部品が設けられる場合には、特にその傾向が顕著である。この場合に、電気光学パネルの裏側の面を覆う外枠を上記のように第１外枠と第２外枠とに分割し、さらに、配線基板が曲げられる部分を第１枠によって覆うことにすれば、寸法が厚くなるのはその第１枠の部分だけであり、第２枠によって覆う部分の厚み寸法は薄くすることができる。このように第１枠と第２枠とを分割してそれらを電気光学パネルの周りに設ける場合、前記横側係止片は第１外枠と第２外枠との境界を構成する。
【００２２】
次に、本発明に係る他の電気光学装置は、電気光学パネルに接続されて曲げられる配線基板と、電気光学パネルを支持するフレームと、前記配線基板が接続された前記電気光学パネルの辺が延びる方向を横方向とし、それに直角の方向を縦方向とするとき、前記配線基板が曲げられる部分に対応する前記フレームに設けられていて前記電気光学パネルの横方向の位置ズレを規制する横側係止片と、前記配線基板が曲げられる部分に対応する前記フレームに設けられていて前記電気光学パネルの縦方向の位置ズレを規制する縦側係止片とを有し、前記縦側係止片及び前記横側係止片の少なくとも一方は角の頂点に設けられ、他方は該頂点から離れていることを特徴とする。
【００２３】
この電気光学装置によれば、縦側係止片及び横側係止片の少なくとも一方を角の頂点から離して配置したので、フレームの角部の縦方向又は横方向又はそれらの両方向に広い空間を確保できるようになった。このため、配線基板を曲げる作業を行い易くすることが可能になり、従って、電気光学装置を容易に製造できるようになった。また、曲げられた状態の配線基板に縦側係止片及び横側係止片がぶつかって異常な応力が発生することもなくなるので、配線基板に関する不良の発生を防止できる。
【００２４】
次に、本発明に係るさらに他の電気光学装置は、電気光学パネルに接続されて曲げられる配線基板と、電気光学パネルを支持するフレームと、前記配線基板が接続された前記電気光学パネルの辺が延びる方向を横方向とし、それに直角の方向を縦方向とするとき、前記配線基板が曲げられる部分に対応する前記フレームに設けられていて前記電気光学パネルの横方向の位置ズレを規制する横側係止片と、前記配線基板が曲げられる部分に対応する前記フレームに設けられていて前記電気光学パネルの縦方向の位置ズレを規制する縦側係止片とを有し、前記縦側係止片及び前記横側係止片は角の頂点から離れていることを特徴とする。
【００２５】
この電気光学装置によれば、縦側係止片及び横側係止片の両方を角の頂点から離して配置したので、フレームの角部の縦方向及び横方向の両方向に広い空間を確保できるようになった。このため、配線基板を曲げる作業を行い易くすることが可能になり、従って、電気光学装置を容易に製造できるようになった。また、曲げられた状態の配線基板に縦側係止片及び横側係止片がぶつかって異常な応力が発生することもなくなるので、配線基板に関する不良の発生を防止できる。
【００２６】
次に、本発明に係る電気光学装置においては、前記縦側係止片及び／又は前記横側係止片が前記角の頂点から離れた領域に光源及び／又は電子部品を設けることが望ましい。こうすれば、光源や電子部品を設けるスペースとして十分に広い空間を確保できる。
【００２７】
次に、本発明に係る電子機器は、以上に記載した構成の電気光学装置を有することを特徴とする。このような電子機器としては、例えば、携帯電話機、携帯情報端末機、ＩＣレコーダ、その他種々の電子機器が考えられる。本発明に係る電気光学装置によれば、配線基板に関して不良が発生することを防止できるので、その電気光学装置を用いた電子機器においても、配線基板に関して不良が発生することを防止できる。
【発明を実施するための最良の形態】
【００２８】
以下、本発明に係る電気光学装置をその一実施形態を挙げて説明する。なお、本発明がこの実施形態に限定されるものでないことは、もちろんである。また、これからの説明で用いる図面では、特徴となる部分を分かり易く示すために、実際の寸法比率と異なる寸法比率で構成要素を図示することがあることに注意を要する。
【００２９】
図１は、本発明に係る電気光学装置の一例である液晶表示装置を分解状態で示している。ここに示す液晶表示装置１は、フレーム２と、そのフレーム２によって支持される電気光学パネルとしての液晶パネル３とを有する。液晶パネル３とフレーム２との間には、照明装置４、光拡散膜６、２枚のプリズムシート７、及び枠形状の両面粘着シート８が設けられる。必要に応じてこれらの光学シート以外の必要な光学シートを用いることもできる。
【００３０】
照明装置４は、導光体１１と、光源としてのＬＥＤ１２とを有する。ＬＥＤ１２は複数個、本実施形態では４個設けられている。これら４個のＬＥＤ１２は、可撓性の基板であるＬＥＤ基板１３上に実装されている。このＬＥＤ基板１３は端子１４を有し、この端子１４を通して各ＬＥＤ１２へ電力が供給される。各ＬＥＤ１２の発光面は導光体１１の１つの側面である光入射面１１ａに対向して設けられる。各ＬＥＤ１２から出た光は、光入射面１１ａから導光体１１の内部へ導入され、その導光体１１の光出射面１１ｂから面状の光として出射して、液晶パネル３へ供給される。
【００３１】
導光体１１はフレーム２によって囲まれる空間内に位置ズレしないように収納される。そして、その導光体１１の下面、すなわち光出射面１１ｂの反対側の面に接触するように光反射膜１６が設けられる。この光反射膜１６は、フレーム２の下面に接着又は粘着される。導光体１１の光出射面１１ｂに光拡散膜６及びプリズムシート７，７が重ねて置かれ、さらにその上から両面粘着シート８の下面がフレーム２に粘着される。そして、その両面粘着シート８の上面に液晶パネル３が粘着される。これにより、液晶パネル３、照明装置４、及び複数の光学シート６，７，８，１６がフレーム２によって一体になったパネルユニットが形成される。
【００３２】
図２は、そのパネルユニットの断面構造の一部分を示している。図２に示すように、液晶パネル３は、第１の透光性の基板２１ａと、第２の透光性の基板２１ｂと、第１透光性基板２１ａの外側表面に接着された偏光板２２ａと、第２透光性基板２１ｂの外側表面に接着された偏光板２２ｂとを有する。偏光板２２ａの偏光軸と偏光板２２ｂの偏光軸は適宜にずらせた状態に設定されている。なお、偏光板２２ａ，２２ｂに加えて他の光学要素、例えば位相差板等を設けても良い。第１透光性基板２１ａは第２透光性基板２１ｂの外側へ張り出す張出し部２３を有し、この張出し部２３上に駆動用ＩＣ２４がＡＣＦ（Anisotropic Conductive Film）２６を用いてＣＯＧ（Chip On Glass）技術によって実装されている。
【００３３】
詳しい図示は省略するが、第１透光性基板２１ａ及び第２透光性基板２１ｂのそれぞれの表面には電極が設けられ、また、それらの基板間に液晶が封入される。照明装置４から液晶パネル３へ面状の光が供給されるとき、上記一対の電極に印加する電圧を画素ごとに制御することにより、液晶を通過する光を画素ごとに変調する。そして、この変調光を偏光板２２ｂに通すことにより、その偏光板２２ｂの光出射側に文字、数字、図形等といった像を表示する。矢印Ａで示す方向が表示を観察する方向である。また、図１において、偏光板２２ｂが設けられた面が表示面Ｃである。
【００３４】
液晶パネル３は、任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率異方性を持つ液晶（すなわち、垂直配向用液晶）、その他任意の液晶を用いることができる。また、採光方式でいえば、反射型、透過型又は半透過反射型のいずれであっても良い。
【００３５】
反射型とは、太陽光、室内光等といった外部光を液晶パネル３の内部で反射させて表示に用いる方式である。また、透過型とは、液晶パネル３を透過する光を用いて表示を行う方式である。また、半透過反射型とは、反射型表示と透過型表示の両方を選択的に行うことができる方式である。なお、本実施形態では照明装置４がバックライトとして設けられているので、採光方式としては透過型又は半透過反射型が採用されていることになる。
【００３６】
単純マトリクス方式とは、各画素に能動素子を持たず、走査電極とデータ電極との交差部が画素またはドットに対応し、駆動信号が直接に印加されるマトリクス方式である。この方式に対する液晶モードとしては、ＴＮ、ＳＴＮ、垂直配向モードが用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００３７】
上記のような液晶パネル３において、カラー表示を行う場合には、一対の基板のうちの一方にカラーフィルタが設けられる。カラーフィルタは、特定の波長域の光を選択的に透過する複数のフィルタによって形成される。例えば、３原色であるＢ（青），Ｇ（緑），Ｒ（赤）の１色ずつを基板上の各画素に対応させて所定の配列、例えばストライプ配列、デルタ配列、モザイク配列で並べることによって形成される。
【００３８】
液晶パネル３として、ＴＦＤ素子を用いたアクティブマトリクス方式の液晶パネルを用いるものとすれば、その電気的な等価回路は図７に示す通りである。図７において、複数本の走査線３１が行方向Ｘに延びるように形成され、さらに、複数本のデータ線３２が列方向Ｙに延びるように形成されている。走査線３１は図２の第１透光性基板２１ａ又は第２透光性基板２１ｂのうちのＴＦＤ素子が設けられない方の基板上に帯状電極として形成される。また、データ線３２は第１透光性基板２１ａ又は第２透光性基板２１ｂのうちのＴＦＤ素子が設けられる方の基板上にライン配線として形成される。表示の最小単位である表示ドットＤは走査線３１とデータ線３２との各交差部分に形成される。各表示ドットＤにおいては、液晶層３３と、ＴＦＤ素子３４とが直列に接続されている。
【００３９】
各表示ドットＤに青色（Ｂ）、緑色（Ｇ）、赤色（Ｒ）の各色フィルタのうちの１色を対応させてカラー表示を行う場合には、３色の表示ドットＤが集まって１つの画素が形成される。一方、白黒等によってモノカラー表示を行う場合には表示ドットＤの１つが１つの画素を形成する。
【００４０】
図７では、液晶層３３が走査線３１の側に接続され、ＴＦＤ素子３４がデータ線３２の側に接続されているが、接続関係をその逆にしても良い。各走査線３１は、走査線駆動回路２４ａによって駆動される。一方、各データ線３２は、データ線駆動回路２４ｂによって駆動される。走査線駆動回路２４ａ及びデータ線駆動回路２４ｂは図２の駆動用ＩＣ２４よって構成される。駆動用ＩＣ２４は、共通のＩＣによって両駆動回路２４ａ及び２４ｂを賄うものであっても良いし、あるいは、両駆動回路２４ａ及び２４ｂを個別のＩＣに割り当てても良い。
【００４１】
他方、液晶パネル３として、ＴＦＴ素子を用いたアクティブマトリクス方式の液晶パネルを用いるものとすれば、その電気的な等価回路は図８に示す通りである。図８において、複数本の走査線３１が行方向Ｘに延びるように形成されている。また、複数本のデータ線３２が列方向Ｙに延びるように形成されている。走査線３１は図２の第１透光性基板２１ａ又は第２透光性基板２１ｂの一方に形成されたＴＦＴ素子のゲート電極につながる線として形成され、データ線３２はＴＦＴ素子のソース電極につながる線として形成される。第１透光性基板２１ａ又は第２透光性基板２１ｂのうちのＴＦＴ素子が形成されない方の基板上には面状の共通電極が形成される。
【００４２】
表示ドットＤは走査線３１とデータ線３２との各交差部分に形成される。各表示ドットＤにおいては、ＴＦＴ素子３６とドット電極３７とが直列に接続されている。各走査線３１は、走査線駆動回路２４ａによって駆動される。一方、各データ線３２は、データ線駆動回路２４ｂによって駆動される。走査線駆動回路２４ａ及びデータ線駆動回路２４ｂは図２の駆動用ＩＣ２４によって構成される。
【００４３】
走査信号はＴＦＴ素子３６のゲートへ送られ、データ信号はＴＦＴ素子３６のソースへ送られる。ＴＦＴ素子３６がＯＮ状態になると、対応するドット電極３７への通電が成されて対応する表示ドットＤ内の液晶への書き込みが行われる。また、引き続いてＴＦＴ素子３６がＯＦＦ状態になると、書き込まれた状態が保持される。この一連の書き込み動作及び保持動作により、液晶分子がＴＮ構造と垂直配向との間で制御される。
【００４４】
図１に戻って、第１透光性基板２１ａの張出し部２３の辺端に配線基板９が、ＡＣＦ、ヒートシール、その他適宜の導電接続手法を用いて接続されている。この配線基板９は可撓性を有するプラスチックによって形成されており、液晶表示装置１を組み立てる際には、矢印Ｂで示すように曲げられて液晶パネル３の表示面Ｃと反対側に配置される。この配線基板９のうち第１透光性基板２１ａへ接続される端部の近傍の背面、すなわち、配線基板９のうち曲げられて湾曲形状となって液晶パネル３を向く面には、複数の電子部品１７が第１透光性基板２１ａの辺端とほぼ平行の列状に実装されている。この電子部品１７としては、例えば、抵抗、コイル、コンデンサ、電源ＩＣ等が考えられる。電源ＩＣは他の電子部品より大きいのが普通であり、この電源ＩＣは符号１７ａで示すように配線基板９の端部分に実装されることがある。
【００４５】
図１において液晶表示装置１を組み立てる際には、まず、ＬＥＤ基板１３の端子１４を配線基板９の所定位置にハンダ付け、その他の導電接続手法によって接続する。次に、フレーム２の下面に光反射膜１６を粘着し、その光反射膜１６の上面に接触するように導光体１１をフレーム２１の中に収納する。次に、導光体１１の上に光拡散膜６及びプリズムシート７，７を載置し、さらにその上から両面粘着シート８を貼着する。次に、粘着シート８の上面に液晶パネル３を貼着すると共に、ＬＥＤ基板１３を導光体１１の光入射面１１ａに対向する位置に配置して、各ＬＥＤ１２を光入射面１１ａに対向する所定位置に配置させる。
【００４６】
フレーム２は、図４に示すように、無端の枠形状に形成されている。また、配線基板９が曲げられる部分に対応するフレーム２の角部Ｋには、その角部Ｋの頂点部分に縦側係止片１８ａが設けられ、頂点から間隔Ｌだけ離れた位置に横側係止片１８ｂが設けられている。また、配線基板９が曲げられる部分の反対側のフレーム２の辺には、角部Ｋの頂点で互いに連結する縦側係止片１８ａａ及び横側係止片１８ｂｂが設けられている。縦側係止片１８ａ，１８ａａは、図１の液晶パネル３の縦方向の位置ズレ、すなわち、第１透光性基板２１ａの張出し部２３の端辺に対して直角の方向に関する液晶パネル３の位置ズレ、を規制するための係止片である。また、横側係止片１８ｂ，１８ｂｂは、液晶パネル３の横方向の位置ズレ、すなわち、張出し部２３の端辺と平行の方向に関する液晶パネル３の位置ズレ、を規制するための係止片である。
【００４７】
図１において粘着シート８の上面に液晶パネル３を粘着したとき、その液晶パネル３は、縦側係止片１８ａ及び１８ａａによって縦方向の位置を規制され、横側係止片１８ｂ及び１８ｂｂによって横方向の位置を規制され、これにより、常にフレーム２内の一定位置に位置決めされる。図２には、縦側係止片１８ａ及び横側係止片１８ｂの液晶パネル３に対する位置関係が鎖線によって示されている。図２から分かるように、横側係止片１８ｂとフレーム２の角部の頂点との間には広い間隔Ｌができるので、ＬＥＤ１２、ＬＥＤ基板１３、電子部品１７、及び電子部品１７を実装した部分の配線基板９等の周りに広い横方向の空間ができる。このため、ＬＥＤ基板１３を所定位置に配置する作業や、配線基板９を曲げて所定位置に配置する作業が容易になる。また、所定位置に配置されたＬＥＤ基板１３や配線基板９が横側係止片１８ｂにぶつかることがなくなるので、それらの基板１３，９に異常な負荷が加わることが無くなり、基板不良の発生を防止できる。また、フレーム２の横方向のぎりぎりの位置までＬＥＤ１２や電子部品１７を持ってくることが可能となるので、ＬＥＤ１２や電子部品１７の配置位置を広い範囲内で選択できる。
【００４８】
図１において、液晶パネル３がフレーム２に装着された後、表示側外枠４１が液晶パネル３の上方からフレーム２の側面へ嵌め込まれる。この表示側外枠４１は、例えば、ステンレス（例えば、ＳＵＳ３０４，ＳＵＳ３０１）等によって形成されている。次に、第２裏面側外枠４２ｂが光反射膜１６の下方から表示側外枠４１の側面の外側へ嵌め込まれる。この第２裏面側外枠４２ｂは、例えば、ステンレス（ＳＵＳ３０４）、リン青銅、ベリリウム銅、アルミ合金（Ａ５０５２）等、すなわち剛性が高く、しかも熱伝導率の高い材料によって形成されている。
【００４９】
第２裏面側外枠４２ｂは、図３に示すように、ＬＥＤ１２が配置される側の辺端に複数、本実施形態では３個の突出部４３を有している。上記のように第２裏面側外枠４２ｂを表示側外枠４１の側面の外側へ嵌め込んだとき、それらの突出部４３はＬＥＤ１２に接触するようになっている。なお、そのように接触する外枠突出部４３とＬＥＤ１２とは、図２に示すように、シリコングリス４４等といった熱伝導率の高い粘着材によって互いに粘着されることが望ましい。
【００５０】
次に、図１において、配線基板９が矢印Ｂのように曲げられてその配線部分９ｂが第２裏面側外枠４２ｂの外側表面の上に持ち運ばれる。このとき、配線基板９に実装した電子部品１７は、図２に示すように、配線基板９の湾曲形状部分又はその近傍に配置される。電子部品１７を配線基板９の湾曲形状部分以外の所に配置すると、液晶表示装置１の厚さが電子部品１７の厚さ分だけ厚くなるが、本実施形態のように電子部品１７を配線基板９の湾曲形状部分に収納してしまえば、液晶表示装置１の厚さを薄くすることができる。
【００５１】
次に、図１において、第１裏面側外枠４２ａが、図６に示すように、横側係止片１８ｂ，１８ｂから角部Ｋの頂点に至る間隔Ｌ内に装着される。これにより、液晶表示装置１が完成する。第１裏面側外枠４２ａは、第２裏面側外枠４２ｂと同様に、例えばステンレス（ＳＵＳ３０４）、リン青銅、ベリリウム銅、アルミ合金（Ａ５０５２）等、すなわち剛性が高く、しかも熱伝導率の高い材料によって形成されている。第１裏面側外枠４２ａは、第２裏面側外枠４２ｂに比べて小さく形成されており、配線基板９の湾曲形状部分を覆うと共に、第２裏面側外枠４２ｂの先端部分、すなわち突出部４３が設けられている部分を覆う。つまり、第１裏面側外枠４２ａと第２裏面側外枠４２ｂはそれらの先端部分が矢印Ｅ方向から見て互いに重なっている。
【００５２】
また、第１裏面側外枠４２ａの側面の高さＨ１は、第２裏面側外枠４２ｂの高さＨ２よりも高くなっている。従って、図６に示すように、第１裏面側外枠４２ａ及び第２裏面側外枠４２ｂのそれぞれをフレーム２（図１参照）の所定位置に装着すると、図２に示すように、第１裏面側外枠４２ａと第２裏面側外枠４２ｂとの間に隙間Ｍが形成される。配線基板９はこの隙間Ｍを通って第２裏面側外枠４２ｂの外側表面に張り出している。そして配線基板９は、図６に示すように、第２裏面側外枠４２ｂの表面に沿って延びた後、その端子部９ａが第２裏面側外枠４２ｂの側方へ張り出している。
【００５３】
以上のようにして完成した液晶表示装置１を表示面側から見ると図５に示すと通りである。図５において、配線基板９の端子部９ａは表示側外枠４１の側方へ突出している。この配線基板９の端子部９ａの突出位置は、液晶表示装置１が取り付けられる電子機器からの要求に応じて自由に決めることができる。
【００５４】
本実施形態では、図１において配線基板９が曲げられる部分に対応するフレーム２の両角部Ｋ，Ｋにおいて、縦側係止片１８ｂ，１８ｂを角部Ｋ，Ｋの頂点から間隔Ｌだけ離して配置した。これにより、フレーム２の角部Ｋ，Ｋの横方向、すなわち液晶パネル３内の第１透光性基板２１ａの張出し部２３の辺端が延びる方向、に広い空間を確保できるようになった。このため、配線基板９を曲げる作業が非常に行い易くなり、それ故、液晶表示装置１を容易に製造できるようになった。また、曲げられた状態の配線基板９や、その配線基板９に接続されたＬＥＤ基板１３に縦側係止片１８ｂ，１８ｂがぶつかってそれらの基板に異常な応力が発生することもなくなるので、配線基板９及びＬＥＤ基板１３に関する不良の発生を防止できる。
【００５５】
また、本実施形態では、図２において、配線基板９が曲げられる部分の厚さＴ０は、その他の部分の液晶パネル３の厚さＴ１に比べて厚くなる傾向にある。特に本実施形態では、この部分にＬＥＤ１２や電子部品１７が配置されるので、特にその傾向が顕著である。このことに関し、本実施形態では、液晶パネル３の裏側の面を覆う外枠を第１裏面側外枠４２ａと第２裏面側外枠４２ｂとに分割し、さらに、配線基板９が曲げられる部分を第１裏面側外枠４２ａによって覆うことにした。このため、寸法が厚くなるのはその第１裏面側外枠４２ａの部分だけであり、第２裏面側外枠４２ｂによって覆う部分の厚み寸法は薄くすることができる。第２裏面側外枠４２ｂは第１裏面側外枠４２ａに比べて面積が十分に広いので、液晶表示装置１のほとんどの部分を薄くすることができる。これにより、液晶表示装置１が取り付けられる電子機器の薄型化または小型化に寄与できる。
【００５６】
また、本実施形態では、図２及び図３に示すように、ＬＥＤ１２に第２裏面側外枠４２ｂの突出部４３を直接に接触、または必要に応じてシリコングリス等といった伝熱部材を介して接触させ、さらに第２裏面側外枠４２ｂを熱伝導性の高い材料によって形成した。これらのため、ＬＥＤ１２で発生した熱を第２裏面側外枠４２ｂによって伝えることにより、ＬＥＤ１２の周りの温度を冷却できる。液晶を用いた表示に関しては、温度の高い部分と温度の低い部分とで表示品質に違いが出ることが知られている。例えば、温度が高い部分は表示が暗くなる傾向にある。このことに関し、本実施形態のように第２裏面側外枠４２ｂによってＬＥＤ１２の熱を逃がすようにすれば、液晶パネル３の表示面における温度の高低差による表示のバラツキを抑えることができる。
【００５７】
（電気光学装置のその他の実施形態）
以上、好ましい実施形態を挙げて本発明を説明したが、本発明はその実施形態に限定されるものでなく、請求の範囲に記載した発明の範囲内で種々に改変できる。
【００５８】
例えば、上記の実施形態では図４に示したように、フレーム２の１辺の両方の角部Ｋに関して横側係止片１８ｂ，１８ｂを角部頂点から間隔Ｌだけ離して設けたが、これに代えて、２つの角部Ｋのうちのいずれか一方に関してのみ、横側係止片１８ｂを角部頂点から間隔Ｌだけ離すようにしても良い。
【００５９】
また、上記の実施形態では、横側係止片１８ｂを角部頂点から間隔Ｌだけ離して設けたが、これに代えて又はこれに加えて、２つの縦側係止片１８ａ，１８ａの片方又は両方を角部頂点から間隔Ｌだけ離して設けても良い。このように縦側係止片１８ａを角部頂点から間隔Ｌだけ離して設ければ、フレーム２の角部Ｋ及びその近傍において縦方向に広い空間ができるので、当該縦方向に沿って配線基板９上に電子部品が実装される場合に、その電子部品をフレーム２の角部Ｋの所に余裕をもって配置できる。
【００６０】
また、上記の実施形態では、電気光学パネルとして液晶パネルを用いたが、これに代えて、有機ＥＬ（Electro Luminescence）装置、プラズマディスプレイ装置、その他任意のフラットディスプレイ装置を用いることができる
【００６１】
（電子機器の実施形態）
次に、本発明に係る電子機器の実施形態を図面を用いて説明する。
図９は、本発明に係る電子機器の一実施形態のブロック図を示している。ここに示す電子機器は、液晶表示装置７１と、これを制御する制御回路７０とを有する。液晶表示装置７１は、液晶パネル７３と、照明装置７４と、半導体ＩＣ等で構成される駆動回路７５とを有する。また、制御回路７０は、表示情報出力源７６と、表示情報処理回路７７と、電源回路７８と、タイミングジェネレータ７９とを有する。
【００６２】
表示情報出力源７６は、ＲＯＭ（Read Only Memory）やＲＡＭ（Random Access Memory）等から成るメモリと、磁気記録ディスクや光記録ディスク等から成るストレージユニットと、デジタル画像信号を同調出力する同調回路とを有する。この表示情報出力源７６は、タイミングジェネレータ７９によって生成された各種のクロック信号に基づいて、所定フォーマットの画像信号等の形で表示情報を表示情報処理回路７７に供給する。
【００６３】
表示情報処理回路７７は、シリアル−パラレル変換回路、増幅・反転回路、ローテーション回路、ガンマ補正回路、クランプ回路等といった周知の各種回路を備え、入力した表示情報の処理を実行して、その画像情報をクロック信号ＣＬＫと共に駆動回路７５へ供給する。駆動回路７５は、走査線駆動回路、データ線駆動回路及び検査回路を含む。また、電源回路７８は、上記の各構成要素にそれぞれ所定の電圧を供給する。
【００６４】
液晶表示装置７１は、例えば、図１に示した液晶表示装置１によって構成できる。図１に示す液晶表示装置１は、配線基板９が湾曲形状部分の所で不良を発生し難い構造を有している。しかも、液晶表示装置１のうち配線基板９の湾曲形状部分に対応する部分を除いた広い部分は非常に薄く形成されている。従って、この液晶表示装置１を用いた電子機器も、液晶表示装置１の配線基板９に関して安定した性能を有することができ、しかも、液晶表示装置１を組み込む部分を薄く形成できる。
【００６５】
次に、図１０は、電子機器の一例である携帯電話機に本発明を適用した場合の一実施形態を示している。ここに示す携帯電話機８０は、本体部８１と、これに開閉可能に設けられた表示体部８２とを有する。液晶表示装置等といった電気光学装置によって構成された表示装置８３は、表示体部８２の内部に配置され、電話通信に関する各種表示は、表示体部８２にて表示画面８４によって視認できる。本体部８１には操作ボタン８６が配列されている。
【００６６】
表示体部８２の一端部にはアンテナ８７が伸縮自在に取り付けられている。表示体部８２の上部に設けられた受話部８８の内部には、図示しないスピーカが配置される。また、本体部８１の下端部に設けられた送話部８９の内部には図示しないマイクが内蔵されている。表示装置８３の動作を制御するための制御部は、携帯電話機の全体の制御を司る制御部の一部として、又はその制御部とは別に、本体部８１又は表示体部８２の内部に格納される。
【００６７】
表示装置８３は、例えば、図１に示した液晶表示装置１によって構成できる。図１に示す液晶表示装置１は、配線基板９が湾曲形状部分の所で不良を発生し難い構造を有している。しかも、液晶表示装置１のうち配線基板９の湾曲形状部分に対応する部分を除いた広い部分は非常に薄く形成されている。従って、この液晶表示装置１を用いた携帯電話機８０も、表示装置８３の配線基板に関して安定した性能を有することができ、しかも、表示装置８３を組み込む部分を薄く形成できる。
【００６８】
（変形例）
本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、その他各種の機器が考えられる。
【図面の簡単な説明】
【００６９】
【図１】本発明に係る電気光学装置の一実施形態である液晶表示装置を分解状態で示す斜視図である。
【図２】図１に示す液晶表示装置の主要部の断面構造を示す断面図である。
【図３】図１の主要部を拡大して示す図である。
【図４】図３の主要部を拡大して示す図である。
【図５】図１の液晶表示装置の外観を表示面側から見た場合の斜視図である。
【図６】図１の液晶表示装置の外観を裏面側から見た場合の斜視図である。
【図７】図１の液晶表示装置の電気的な等価回路の一例を示す回路図である。
【図８】図１の液晶表示装置の電気的な等価回路の他の一例を示す回路図である。
【図９】本発明に係る電子機器の一実施形態を示すブロック図である。
【図１０】本発明に係る電子機器の他の実施形態を示す斜視図である。
【符号の説明】
【００７０】
１．液晶表示装置（電気光学装置）、  ２．フレーム、
３．液晶パネル（電気光学パネル）、  ４．照明装置、  ６．光拡散膜、
７．プリズムシート、  ８．両面粘着シート、  ９．配線基板、  １１．導光体、
１２．ＬＥＤ（光源）、  １３．ＬＥＤ基板、  １６．光反射膜、  １７．電子部品、
１７ａ．電源ＩＣ、  １８ａ，１８ａａ．縦側係止片、
１８ｂ，１８ｂｂ．横側係止片、  ２１ａ．第１透光性基板、
２１ｂ．第２透光性基板、  ２２ａ，２２ｂ．偏光板、  ２３．張出し部、
２４．駆動用ＩＣ、  ２６．ＡＣＦ、  ３１．走査線、  ３２．データ線、
３３．液晶層、  ３４．ＴＦＤ素子、  ３６．ＴＦＴ素子、  ３７．ドット電極、
４１．表示側外枠、  ４２ａ．第１裏面側外枠、  ４２ｂ．第２裏面側外枠、
４３．突出部、  ４４．シリコングリス、  ７０．制御回路、
７１．液晶表示装置（電気光学装置）、  ７３．液晶パネル（電気光学パネル）、
７４．照明装置、  ７５．駆動回路、  ８０．携帯電話機（電子機器）、  Ｃ．表示面、
Ｄ．表示ドット、  Ｌ．間隔、  Ｋ．角部
【図１】
2006133555.tif 000003
【図２】
2006133555.tif 000004
【図３】
2006133555.tif 000005
【図４】
2006133555.tif 000006
【図５】
2006133555.tif 000007
【図６】
2006133555.tif 000008
【図７】
2006133555.tif 000009
【図８】
2006133555.tif 000010
【図９】
2006133555.tif 000011
【図１０】
2006133555.tif 000012